(57)【要約】      （修正有）【課題】第三者に対して電子タグの存在を高いレベルで隠すことができる電子タグ付き指輪を提供する。【解決手段】リーダ装置と近距離無線通信することにより所定の情報を読取り可能な電子タグ３，４を備えた電子タグ付き指輪１であって、電子タグ３が電子タグ付き指輪の内周面側に設けられたこと。【選択図】図１
2015109939.tif 000002
【特許請求の範囲】
【請求項１】
リーダ装置と近距離無線通信することにより所定の情報を読取り可能な電子タグを備えた電子タグ付き指輪であって、前記電子タグが指輪の内周面側に設けられたことを特徴とする電子タグ付き指輪。
【請求項２】
前記電子タグは、前記指輪の腕部の内周面側に設けられ、指輪の外周面側からの前記所定の情報の読取りが、前記腕部によって遮断される請求項１に記載の電子タグ付き指輪。
【請求項３】
前記腕部の少なくとも一部が金属素材からなり、前記電子タグが前記金属素材の内周面側に設けられた請求項２に記載の電子タグ付き指輪。
【請求項４】
前記電子タグは、前記金属素材の内周面に非金属素材からなる金属非接触層を介して設けられた請求項３に記載の電子タグ付き指輪。
【請求項５】
前記腕部における前記電子タグが設けられた位置の厚みが、当該電子タグの無線通信可能な距離以上である請求項２に記載の電子タグ付き指輪。
【請求項６】
前記電子タグ付き指輪は、さらに、該電子タグ付き指輪の外周面側に第２の電子タグを備えた請求項１〜５のいずれかに記載の電子タグ付き指輪。
【請求項７】
前記第２の電子タグが、前記電子タグ付き指輪の腕部の外周面側に設けられた請求項６に記載の電子タグ付き指輪。
【請求項８】
前記第２の電子タグが、前記電子タグ付き指輪の腕部をアンテナとしてリーダ装置と無線通信するようにした請求項６又は７に記載の電子タグ付き指輪。
【請求項９】
前記電子タグがＲＦＩＤタグである請求項１〜８のいずれかに記載の電子タグ付き指輪。
【請求項１０】
前記第２の電子タグがＲＦＩＤタグである請求項６〜８のいずれかに記載の電子タグ付き指輪。
【請求項１１】
前記電子タグがＮＦＣタグである請求項１〜８のいずれかに記載の電子タグ付き指輪。
【請求項１２】
前記第２の電子タグがＮＦＣタグである請求項６〜８のいずれかに記載の電子タグ付き指輪。
【請求項１３】
リーダ装置と近距離無線通信することにより所定の情報を読取り可能な電子タグを備えた電子タグ付き指輪において、その指輪本体上に内部が透視できる中空の格納機能を有する装飾部を備え、当該装飾部の内部に電子タグを設けたことを特徴とする電子タグ付き指輪。
【請求項１４】
電子タグを備えた装飾部は、裸石等の物品を出し入れ自在に収容できるように形成した請求項１３に記載の電子タグ付き指輪。
【請求項１５】
装飾部に隣接して物品の出し入れができる副格納空間を形成した請求項１４に記載の電子タグ付き指輪。
【請求項１６】
電子タグは、ＲＦＩＤタグ又はＮＦＣタグである請求項１５に記載の電子タグ付き指輪。
【発明の詳細な説明】
【技術分野】
【０００１】
この発明は電子タグ付き指輪に関し、具体的には、電子タグの存在を第三者に対して隠すことができる電子タグ付き指輪に関する。
【背景技術】
【０００２】
近距離の無線通信により情報の取得や書き込み等を行うものとしてＲａｄｉｏ  Ｆｒｅｑｕｅｎｃｙ  Ｉｄｅｎｔｉｆｉｃａｔｉｏｎ（以下、ＲＦＩＤという）やＮｅａｒ  Ｆｉｅｌｄ  Ｃｏｍｍｕｎｉｃａｔｉｏｎ（以下、ＮＦＣという）といった技術が知られており、物品管理や入退室管理等の分野において広く使用されている。
【０００３】
これらの近距離無線通信技術は、ＩＣチップとアンテナ等を有する電子タグを管理対象物に備え、このＩＣチップに記録された情報をリーダ装置によって読み取るものである。また、ＩＣチップが追記可能な場合には、ライタ装置を用いて情報の記録や追記も行うことができる。
【０００４】
この電子タグは近年小型化され、例えば特許文献１のように指輪に電子タグを取り付けたものが知られている。指輪のような装飾品の場合、これに電子タグを取り付けて入退室管理を行えば別途入館証を所持せずに施設等への入退室が可能となる。
【０００５】
前述のように、入館証のような外部から目視で情報を取得できる方法と比較すると、指輪に電子タグを取り付ければ個人情報が第三者から視認される等を防ぐことができる。
【０００６】
しかし、従来の電子タグ付き指輪は、当該指輪に電子タグが設けられていることを隠すことができず、第三者に対して情報の存在を高いレベルで隠すことができる電子タグ付き指輪が求められていた。また、前記のような電子タグ付き指輪においては、付加機能を備えた指輪の要請もある。
【先行技術文献】
【特許文献】
【０００７】
【特許文献１】特開２００３−２７１９１０号公報
【発明の概要】
【発明が解決しようとする課題】
【０００８】
本発明は上記の要請に着目し、第三者に対して電子タグの存在を高いレベルで隠すことができる電子タグ付き指輪を提供すること、並びに、利便性の高い付加機能を備えた電子タグ付き指輪を提供することをその課題とする。
【課題を解決するための手段】
【０００９】
上記の課題を解決することを目的としてなされた本発明指輪の第一の構成は、リーダ装置と近距離無線通信することにより所定の情報を読取り可能な電子タグを備えた電子タグ付き指輪であって、前記電子タグが前記電子タグ付き指輪の内周面側に設けられたことを特徴としている。
【００１０】
本発明に係る電子タグ付き指輪において、電子タグは、前記電子タグ付き指輪の腕部の内周面側に設けられ、前記電子タグ付き指輪の外周面側からの前記所定の情報の読取りが、前記腕部によって遮断されるようにすることが望ましい。また、腕部の少なくとも一部が金属素材からなり、前記電子タグが前記金属素材の内周面側に設けられるようにしてもよく、この場合には電子タグを前記金属素材の内周面に非金属素材からなる金属非接触層を介して設けるようにすると好適である。さらに、腕部における前記電子タグが設けられた位置の厚みが、前記電子タグの無線通信可能な距離以上としてもよい。
【００１１】
本発明に係る電子タグ付き指輪は、さらに、該電子タグ付き指輪の外周面に第２の電子タグを備えていてもよく、この場合に、第２の電子タグを前記電子タグ付き指輪の腕部の外周面に設けてもよい。また、第２の電子タグは、前記電子タグ付き指輪の腕部をアンテナとしてリーダ装置と無線通信すると好適である。
【００１２】
また、本発明に係る電子タグ付き指輪は、電子タグがＲＦＩＤタグであってもよいし、ＮＦＣタグであってもよい。第２の電子タグも同様にＲＦＩＤタグであってもよいし、ＮＦＣタグであってもよい。
【００１３】
本発明の電子タグ付き指輪は、上記構成に加え、指輪としての付加機能を備えたものを第二の構成の特徴とする。
すなわちそれは、上記電子タグ付き指輪において、指輪本体上に内部が透視できる中空の装飾部を当該装飾部に物品格納機能を付与して備え、その装飾部の内部に電子タグを設けたことを特徴とするものである。前記装飾部に形成される格納部は、裸石等の小粒の物品を出し入れできるように、開閉自在の蓋構造を備えたものが好ましい。また、前記装飾部は、隣接して格納空間が形成されたものもある。なお、前記電子タグとしては、ＲＦＩＤタグを選択することができる。
【発明の効果】
【００１４】
本発明の構成によれば、指輪が備える電子タグは指輪の内周面側に設けられていることにより、指輪を装着した状態において電子タグは第三者から視認することができない。したがって、本発明に係る電子タグ付き指輪は、第三者に電子タグの存在を隠すことができる。
【図面の簡単な説明】
【００１５】
【図１】本発明の第１の実施形態に係る電子タグ付き指輪における、各構成の位置関係を示す模式図。
【図２】同実施形態における部分断面図であり、（ａ）は第１の電子タグ、（ｂ）は第２の電子タグの取り付け箇所を示す図。
【図３】本発明の第２の実施形態に係る電子タグ付き指輪における、各構成の位置関係を示す模式図。
【図４】本発明の第３の実施形態に係る装飾部を物品格納空間に形成した電子タグ付き指輪の要部の斜視図。
【図５】装飾部を格納空間に形成した本発明電子タグ付指輪の別例の斜視図。
【発明を実施するための形態】
【００１６】
以下、図面を参照して本発明の実施形態の例を説明する。
図１は、本発明に係る電子タグ付き指輪の第１の実施形態において、各構成の位置関係を模式的に示した図である。図１で示すように、電子タグ付き指輪１は、指輪の本体となる環状（リング状）腕部２と、第１の電子タグ３と、第２の電子タグ４と、から構成されている。
【００１７】
腕部２は、通常環状に成形した主として金属製素材からなる部材であり、電子タグ付き指輪１を装着者の指にはめるための部材である。腕部２は非金属製部材、例えば、ガラス製、プラスチック製、陶製などであってもよい。これらの非金属製部材の腕部２では読み取り遮蔽のために付加構造を備えていることが好ましい。
【００１８】
電子タグ付き指輪１の本体を構成する腕部２の内周面２１には、第１の電子タグ３が設けられている。腕部２の内周面２１において第１の電子タグ３が設けられている箇所は、図２（ａ）の拡大断面図で示すように凹部または孔部２１ａ（以下、単に孔部という）が設けられており、当該孔部２１ａに一例として接着剤等の合成樹脂５を介して第１の電子タグ３が取り付けられている。第１の実施形態では、第１の電子タグ３と金属製の腕部２が直接接触することを防ぐ金属非接触層として前記合成樹脂５が設けられており、これにより第１の電子タグ３は金属製素材の腕部２による電波的な影響を排することができる。また、物理的な衝撃等が腕部２に加わった際に、合成樹脂５が緩衝材として機能することで第１の電子タグ３を効果的に保護することができる。なお、腕部２が非金属製の接合でも合成樹脂５を接着剤として用いる。
【００１９】
第１の実施形態における第１の電子タグ３は、一例として幅２．０ｍｍ、高さ１．２ｍｍ、厚さ０．５ｍｍのＲＦＩＤタグであるが、電子タグ３の寸法はこれに限られるものではない。前述したように、第１の電子タグ３は合成樹脂５を介して腕部２の内周面２１に設けられた孔部２１ａに取り付けられている。
【００２０】
第１の電子タグ３は、電子タグ付き指輪１の内周面側、すなわち第１の実施形態における腕部２の内周面２１に設けられており、電子タグ付き指輪１を装着者の指に装着した状態においては、第１の電子タグ３が腕部２の内周面と装着者の指の外面の間に位置することによって隠蔽されることにより、当該第１の電子タグ３は外部から直接視認することができず、第１の電子タグ３の存在を他人からほぼ完璧に隠蔽することができる。
【００２１】
また、腕部２が金属製素材からなる部材であると、この素材が第１の電子タグ３の外側に位置していることにより、第１の電子タグ３の近傍にリーダ装置を近接させた場合でも腕部２がリーダ装置によって第１の電子タグ３の情報が読み取られることを遮断することができる。これにより、後述する第２の電子タグ４をリーダ装置によって読み取る際に、誤って第１の電子タグ３を読みとられることを効果的に防止することもできる。なお、非金属製の腕部２では、第１の電子タグ３に対する部位に金属箔や金属薄板によるシールドを設けこれによって読み取られることを防ぐようにする。
【００２２】
本発明の電子タグ付き指輪では、腕部２の内周面２１に第１の電子タグ３が設けられている一方で、腕部２の外周面２２には第２の電子タグ４が設けられる形態もある。
【００２３】
第２の電子タグ４は、ＲＦＩＤタグを用いた電子タグである。図２（ｂ）で示すように、腕部２の外周面２２には凹部又は孔部２２ａ（以下、孔部２２ａという）が設けられており、当該孔部２２ａに前に合成樹脂５と同旨の合成樹脂５を介して第２の電子タグ４が取り付けられている。なお、第１の実施形態では上記の様に第２の電子タグ４を合成樹脂５を介して腕部２に設けているが、腕部２自体を第２の電子タグ４のアンテナとして使用するように構成してもよい。
【００２４】
第２の電子タグ４は、電子タグ付き指輪１における外周面側となる腕部２の外周面２２に設けられており、電子タグ付き指輪１を装着者が装着した状態においても、外部から視認することができる。このように２つの電子タグを一つの腕部２に設けると、外部から視認できる第２の電子タグ４と、外部から視認できない第１の電子タグ３とによって、情報の重要性等により記録対象を選択することができる。また、外部から視認できる第２の電子タグ４が存在することで、第１の電子タグ３の存在をより効果的に他人に隠蔽することができる。
【００２５】
以上が本発明に係る第１の実施形態についての説明である。次いで、本発明に係る第２の実施形態について説明する。
【００２６】
図３で示すように、第２の実施形態に係る電子タグ付き指輪６は、装飾部７と、腕部２と、第１の電子タグ３と、第２の電子タグ４と、を備えている。
【００２７】
すなわち、装飾部７と腕部２は、本発明に係る電子タグ付き指輪６における指輪本体を構成する部材である。ここで腕部２は、前述の第１の実施形態における腕部２と同様に主として金属製素材からなる環状乃至リング状部材であり、電子タグ付き指輪６を装着者の指に装着される部材である。一方、装飾部７は腕部２に設けられた装飾用の宝石などによる透光性部材である。
【００２８】
第２の実施形態において、第１の電子タグ３は第１の実施形態と同様に腕部２の内周面に設けられているが、第２の電子タグ４は装飾部７に内封されている。この構成によっても、電子タグ付き指輪６を装着した状態において第１の電子タグ３は外部から視認することができない一方で、第２の電子タグ４は外部から視認することができ、第１の電子タグと第２の電子タグとで記録する情報を選択しつつ、第１の電子タグ３の存在を他人に隠蔽することができる。
【００２９】
また、第２の電子タグ４としてアンテナパターン付きのＲＦＩＤタグを用いることで、当該ＲＦＩＤタグのアンテナパターンを装飾的要素として利用することも可能である。
【００３０】
本発明では以上に説明した第１、第２の実施形態に加え、図４，図５により説明する第３の実施形態を採る電子タグ付き指輪もあるので、以下に図４，図５を参照して説明する。
【００３１】
図４，図５において、８は内部を中空の物品格納機能を有する空間に形成した装飾部である。装飾部８は、図４，図５の側では、腕２の上部を太く乃至大きく形成してその部位の上下両面を貫通する５ｍｍ角程度の穴８ａを開け、この貫通穴８ａの上下面をサファイアガラス等の板材による透光性部材８ｂと８ｃにより開閉可能に塞いで物品格納部としたものである。この格納部の一方の透光性部材８ｂは格納部の蓋として開閉自在又は着脱自在に設け、他方の透光性部材８ｃには、一例として２〜３ｍｍ角のＲＦＩＤ４を固定して、本発明の電子タグ付き指輪に形成する。なお、８ｄは透光性部材８ｂを開けるための溝状切欠である。
【００３２】
本発明では、上記ＲＦＩＤ４に代えて二次元ドットコードをＩＤとして設けることもできる。さらにＩＤとしては、格納部が金属製の場合、その内側に金属対応タグを収容し、同質金属の箔などで仕切って格納部としたものもある。図４の側では、格納部たる装飾部８に連続した形で腕部２に副格納部８１，８２を設けている。なお図示していないが副格納部８１，８２も物品出し入れのための蓋を有する。
【００３３】
上記の副格納部８１，８２を、内部を透視できるように形成するか否かは任意である。また格納部内には、メレダイヤ等の小粒の宝石のほか、故人の遺骨粉など小粒物品を格納することができる。
格納機能を有する装飾部８としては、図示しないが、腕部２の上部に、ドラム形乃至筒形を呈する内部を透視できる格納部を設け、この格納部の一側を開閉式の蓋とした形態のものもある。この装飾部８の内部にはもちろんＲＦＩＤ４のような電子タグが配設される。
【００３４】
本発明の実施形態例の説明は前述の通りであるが、本発明の実施の形態は前述の例に限られるものではない。
例えば、第１の実施形態において腕部２は金属製素材からなるものとし、当該金属製素材からなる腕部２によって第１の電子タグ３が電子タグ付き指輪１の外周側からリーダ装置によって読み取られることを遮断するようにしたが、第１の電子タグ３として通信距離の短いＲＦＩＤタグ等の電子タグを用いるとともに、腕部２を通信距離以上の厚みを有する任意の素材から形成するようにしてもよい。
また、第１の電子タグ３、及び、第２の電子タグ４はともにＲＦＩＤタグであるが、このいずれか一方、又は双方をＮＦＣ等、他の方式による電子タグとしてもよい。
さらに、第１の電子タグ３、及び、第２の電子タグ４は、一の電子タグ付き指輪にそれぞれ複数設けるようにしても良い。
その他の構成についても、本発明の趣旨を逸脱しない範囲でさまざまな変更が可能である。
【符号の説明】
【００３５】
１、６          電子タグ付き指輪
２          腕部
３          第１の電子タグ
４          第２の電子タグ
５          合成樹脂（接着剤）
７          装飾部
８          格納機能を有する装飾部
８１，８２  副格納部
【図１】
2015109939.tif 000003
【図２】
2015109939.tif 000004
【図３】
2015109939.tif 000005
【図４】
2015109939.tif 000006
【図５】
2015109939.tif 000007